(57)【特許請求の範囲】
【請求項１】
入力領域上に位置する物体の位置を算出する座標入力装置であって、
前記入力領域に向けて光を発射する投光部と、
前記入力領域を含む矩形領域の対向する二辺に沿って配置され、前記投光部が発射した光を反射する反射面を有する、再帰反射部材と、
前記投光部から発射されて前記再帰反射部材の反射面で反射した光を受光し、当該受光した光の強度を測定する受光部と、
前記受光部の測定結果から、前記物体の位置を求める計算手段と、を備え、
前記入力領域の面に対して垂直な方向に前記再帰反射部材を挟むように、前記再帰反射部材に隣接して配置された前記投光部と前記受光部とのセットが、前記対向する二辺に配置された前記再帰反射部材のそれぞれの少なくとも２か所に位置する
ことを特徴とする、座標入力装置。
【請求項２】
前記対向する二辺に沿って配置された前記再帰反射部材のそれぞれは、両端部を構成する２つの第１の部材と、前記２つの第１の部材の間の第２の部材とを含み、
前記２つの第１の部材のそれぞれには、前記投光部と前記受光部とのセットが位置しており、
前記２つの第１の部材のそれぞれが有する反射面が前記入力領域の中心を向くように、前記２つの第１の部材のそれぞれは配置されていることを特徴とする、請求項１に記載の座標入力装置。
【請求項３】
前記第１の部材が有する反射面は、前記第２の部材が有する反射面よりも、前記入力領域の面に対して垂直な方向の長さが短く、
前記第１の部材が有する反射面の反射率は、前記第２の部材が有する反射面の反射率よりも高いことを特徴とする、請求項２に記載の座標入力装置。
【発明の詳細な説明】
【技術分野】
【０００１】
本発明は、指示具の座標を光学的に検出する座標入力装置に関する。
【背景技術】
【０００２】
指示具に光を遮られたことを検出して、指示具の座標を取得する、光学式の座標入力装置が以前から知られている。光学式の座標入力装置の一例を、図９（Ａ）に示す。図９（Ａ）の座標入力装置は、投光部及び受光部を備えるセンサユニット９０１と、入射してきた光を元の方向に再帰的に反射する再帰反射部材９０３とを有する。投光部から指示具９０７の方向に投射され、再帰反射部材９０３によって反射されて受光部に達する光は、入力領域９０２上に存在する指示具９０７によって遮られる。これにより、指示具９０７の位置が検出される。
【０００３】
特許文献１には、再帰反射部材の後方にセンサユニットが配置された座標入力装置が開示されている。より詳細には、再帰反射部材と入力領域との間隙から投光部は光を投光し、同じ間隙を通って光が受光部に入射する。特許文献１に係る構成により、再帰反射部材が配置されている位置に、センサユニットを配置することが可能となる。
【先行技術文献】
【特許文献】
【０００４】
【特許文献１】特許第４１１８６６４号公報
【発明の概要】
【発明が解決しようとする課題】
【０００５】
しかしながら特許文献１に係る座標入力装置には、センサユニットの近傍では、入力領域に指示具を接触させないと、指示具の位置を検出できないことがあった。図９（Ｂ）を用いて詳しく説明する。特許文献１の構成においては、センサユニット９０１の投光部から出た光が再帰反射部材９０３で反射され、センサユニット９０１の受光部に到達する。図示されているように、指示具９０７がセンサユニット９０１の近傍に存在し、入力領域９０２に接触していない場合、光は指示具９０７によって遮られない。従って、指示具９０７は検出されない。
【０００６】
本発明は、光学式の座標入力装置において、再帰反射部材が存在する位置に投光部及び受光部を設ける場合に、投光部及び受光部近傍での位置検出能力を低下させないことを目的とする。
【課題を解決するための手段】
【０００７】
本発明の目的を達成するために、例えば、本発明の座標入力装置は以下の構成を備える。すなわち、
入力領域上に位置する物体の位置を算出する座標入力装置であって、
前記入力領域に向けて光を発射する投光部と、
前記入力領域を含む矩形領域の対向する二辺に沿って配置され、前記投光部が発射した光を反射する反射面を有する、再帰反射部材と、
前記投光部から発射されて前記再帰反射部材の反射面で反射した光を受光し、当該受光した光の強度を測定する受光部と、
前記受光部の測定結果から、前記物体の位置を求める計算手段と、を備え、
前記入力領域の面に対して垂直な方向に前記再帰反射部材を挟むように、前記再帰反射部材に隣接して配置された前記投光部と前記受光部とのセットが、前記対向する二辺に配置された前記再帰反射部材のそれぞれの少なくとも２か所に位置する
ことを特徴とする、座標入力装置。
【発明の効果】
【０００８】
光学式の座標入力装置において、再帰反射部材が存在する位置に投光部及び受光部を設ける場合に、投光部及び受光部近傍での位置検出能力の低下を防ぐことができる。
【図面の簡単な説明】
【０００９】
【図１】実施例１に係るセンサユニットの構造の一例。
【図２】実施例１に係る座標入力装置の一例の概略図。
【図３】実施例１に係る投光部及び受光部の構造の一例。
【図４】実施例２に係るセンサユニットの構造の一例。
【図５】実施例２に係るセンサユニットの構造の一例。
【図６】実施例３に係る座標入力装置の一例の概略図。
【図７】実施例５に係るセンサユニットの構造の一例。
【図８】実施例５に係るセンサユニットの姿勢調整を説明する図。
【図９】背景技術に係る座標入力装置を説明する図。
【図１０】実施例１に係るセンサユニットの構造を説明する図。
【図１１】実施例１に係る各センサユニットが検出を行う入力領域の一例。
【図１２】実施例４に係る座標入力装置の一例の概略図。
【図１３】実施例７に係るセンサユニットの構造の一例。
【図１４】実施例８に係る座標入力装置の一例の概略図。
【図１５】実施例８に係る座標入力装置を複数設置した場合の一例の概略図。
【発明を実施するための形態】
【００１０】
以下、添付の図面を参照して、本発明をその好適な実施例に基づいて詳細に説明する。なお、以下の実施例において示す構成は一例に過ぎず、本発明は図示された構成に限定されるものではない。
［実施例１］
本実施例に係る座標入力装置の概略を図２を用いて説明する。図中１Ａ〜１Ｄは投光部および受光部を有するセンサユニットである。センサユニットは互いに所定の距離離れて設置され、制御及び演算を行なう制御ユニット２Ａ又は２Ｂに接続される。センサユニットは制御信号を制御ユニットから受け取り、検出した信号を制御ユニットに送信する。
【００１１】
３Ａ、３Ｂ、及び５Ａ〜５Ｄは、再帰反射部材である。再帰反射部材は、入射光を到来方向に反射する再帰反射面を有することにより、それぞれのセンサユニットから投光された光を、センサユニットに向けて再帰的に反射する。再帰反射部材は、例えば入射した光を散乱する部材であってもよく、この場合にも入射した光は到来方向へと反射される。集光光学系及びラインＣＣＤ等によって構成されたセンサユニットの受光部によって、反射された光は１次元的に検出される。そして、検出された光量分布は制御ユニットに送られる。入力領域４Ａは、座標を入力する入力領域であり、この入力領域上に位置する物体がセンサユニット１Ａ〜１Ｄにより検出される。
【００１２】
本実施例において再帰反射部材は、入力領域を含む矩形領域の対向する二辺に配置される。一辺の再帰反射部材は、３Ａ、５Ａ、及び５Ｄに分割されて配置される。再帰反射部材５Ａ，５Ｄは、一辺の再帰反射部材の両端部を構成し、再帰反射部材３Ａは、再帰反射部材５Ａ，５Ｄの間にある。対向する辺の再帰反射部材も同様に、３Ｂ、５Ｂ、及び５Ｃに分割されて配置される。再帰反射部材の分割部７Ａ〜７Ｄにおいては、対向するセンサユニットから見て隙間が存在しないように、再帰反射部材が重なって配置される。例えば、センサユニット１Ｂ又は１Ｃから分割部７Ａに対して光を投射する場合にも再帰反射光が帰ってくるように、分割部７Ａにおいて再帰反射部材５Ａ及び３Ａは重なり合っている。
【００１３】
再帰反射部材３Ａ，３Ｂ（第２の部材）は不図示の筐体に取り付けられている。また、再帰反射部材５Ａ〜５Ｄ（第１の部材）はそれぞれ、センサユニット１Ａ〜１Ｄに搭載されている。再帰反射部材５Ａ〜５Ｄは、反射面が入力領域の中心を向くように、再帰反射部材３Ａ，３Ｂに対して傾けて配置されている。センサユニット１Ａ及び１Ｄは、一方の辺に配置された再帰反射部材３Ｂ、５Ｂ、及び５Ｃに対して光を発射（投光）し、そして反射された光を受光する。同様にセンサユニット１Ｂ及び１Ｃは、他方の辺に配置された再帰反射部材３Ａ、５Ａ、及び５Ｄに対して投光し、そして反射された光を受光する。
【００１４】
本実施例においては、入力領域４Ａは１面で構成される。そして、センサユニット１Ａ〜１Ｄは、図２に示すように、入力領域４Ａの外側に配置される。入力領域４ＡをＰＤＰやリアプロジェクタ、ＬＣＤパネルなどの表示装置の表示画面としたり、又は入力領域４Ａ上にフロントプロジェクタで画像を投影したりすることにより、入力領域４Ａはインタラクティブな入力装置として利用可能となる。例えば入力領域４Ａに指で触れるなど、物が入力領域４Ａの直上に位置すると、センサユニット１Ａ〜１Ｄの投光部から投光された光が遮られる。すると反射光がセンサユニット１Ａ〜１Ｄの受光部に到達しなくなる。受光部は、光が入ってくる方向に対する光の強度分布を測定する。反射光が入ってこない角度を検出することにより、光を遮る物の位置、すなわち入力位置を判定することができる。
【００１５】
制御ユニット２Ａ及び２Ｂは、センサユニット１Ａ〜１Ｄと双方向通信することが可能である。制御ユニット２Ａ及び２Ｂは、センサユニット１Ａ〜１Ｄの受光部による測定結果を用いて、入力位置の方向を特定する。そして制御ユニット２Ａ及び２Ｂは協調して、特定された入力位置の方向およびセンサユニット１Ａ〜１Ｄ間の距離等から、入力領域４Ａにおける入力位置の座標位置を算出する（計算手段）。さらに制御ユニット２Ａ及び２Ｂは、座標入力装置に接続されているＰＣなどに、ＵＳＢなどのインタフェースを経由して座標位置を出力する。このようにして、指などで入力領域４Ａに触れる、又は入力領域４Ａの直上を動かすことによって、画面上に線を描画する、アイコンを選択するなど、ＰＣを操作することなどが可能になる。
【００１６】
図１１は、各センサユニット１Ａ〜１Ｄが検出する入力位置の一例を示す。図１１のように、センサユニット１Ｃ及び１Ｄを用いて、図１１（Ａ）の範囲９１内への入力を検出するのがよい。また、センサユニット１Ｂ及び１Ｃを用いて、図１１（Ｂ）範囲９２内への入力を検出するのがよい。同様に、センサユニット１Ａ及び１Ｂを用いて図１１（Ｃ）の範囲９３内への入力を、センサユニット１Ａ及び１Ｄを用いて図１１（Ｄ）の範囲９４内への入力を、検出するのがよい。
【００１７】
図３は、本実施例のセンサユニット１Ａ〜１Ｄの投光部および受光部の一例を示す。図３（Ａ）は、センサユニット１Ａ〜１Ｄの投光部を示している。センサユニット１Ａ〜１Ｄ中の投光部は、赤外ＬＥＤ１０１と、投光レンズ１０２とを備える。図３（Ａ）において、１０１は、赤外光を発する赤外ＬＥＤであり、投光レンズ１０２によって、再帰反射部材３，５に向けて所定範囲に光を投光する。センサユニットの赤外ＬＥＤ１０１からの光束は、投光レンズ１０２により、入力領域に略平行となるように制限される。そしてこの制限された光束が、再帰反射部材３，５に対して投光される。
【００１８】
図３（Ｂ）は、センサユニット１Ａ〜１Ｄの受光部を示している。センサユニット１Ａ〜１Ｄの受光部は、１次元のラインＣＣＤ１０３と、集光光学系としての受光用レンズ１０４と、入射光の入射方向を概略制限する絞り１０５と、可視光等の余分な光（外乱光）の入射を防止する赤外フィルター１０６とを備える。
【００１９】
投光部より投光された赤外光は、再帰反射部材３，５により到来方向に再帰的に反射される。そして、センサユニット１Ａ〜１Ｄ中の受光部が、反射された光を検出する。より詳細には、再帰反射部材３，５によって反射された光は、赤外フィルター１０６、絞り１０５を通り、受光用レンズ１０４によってラインＣＣＤ１０３の検出素子面上に集光される。ラインＣＣＤ１０３は、反射光の入射角に応じた光量分布を示す信号を出力する。ラインＣＣＤ１０３を構成する各画素を、特定の角度から入射する反射光に対応させることにより、ラインＣＣＤ１０３から入射角に応じた光量分布を出力することができる。
【００２０】
図１は、本実施例のセンサユニット１Ａ〜１Ｄの詳細を示す。図１（Ａ）は図２のセンサユニットの詳細な斜視図である。また、図１（Ｂ）は図１（Ａ）に示されるＦ-Ｆの断面図である。図１において、図３と同一の部品は同一の符号が付されている。図１において、１０７は上フード部材、１０８は下フード部材である。上フード部材１０７と下フード部材１０８により、赤外フィルター１０６及び受光用レンズ１０４の位置が決定される。また、上フード部材１０７と下フード部材１０８とによって形成される隙間に、光束が入射する。
【００２１】
本実施例において、投光部と受光部とが、入力領域４Ａの面に対して垂直な方向に重ねられている。再帰反射部材５は、投光部と受光部との間に配置され、上フード部材１０７に取り付けられている。すなわち、投光部と受光部とのセットが、再帰反射部材を挟むように配置されている。係る構成により、再帰反射部材５が、投光部から投射される光を遮ることを防ぐことができる。
【００２２】
例えば、入力領域４Ａ上に再帰反射部材５を配置する場合、再帰反射部材５と投光部との間に介在する部品の公差により、投射される光を遮る可能性がある。同様に、再帰反射部材５と受光部との間に介在する部品の公差により、反射された光を遮る可能性がある。したがって、入力領域４Ａ上に再帰反射部材５を配置する場合には、再帰反射部材５の幅を縮小するか、又は、投光部と再帰反射部材５との間及び受光部と再帰反射部材５との間に隙間をあけることが好ましい。
【００２３】
しかしながら、再帰反射部材５の幅を縮小すると、反射面が小さくなり、受光部に入射する光量が減少する。また、投光部と再帰反射部材５との間、及び受光部と再帰反射部材５との間に隙間をあけると、投射された光線と受光する光線とのなす角度が大きくなるために、受光部に入射する光量が減少する。
【００２４】
本実施例の構成によれば、再帰反射部材５は上フード部材１０７に取り付けてられているので、投光部及び受光部と再帰反射部材５との間の位置の誤差（取り付け誤差）を最小とすることができる。したがって、再帰反射部材５の幅ｈを大きくすることができるし、投光部と受光部との間の距離Ｌをできるだけ小さくすることもできる。
【００２５】
図１０は、センサユニット１Ａ〜１Ｄの構造と、入力検出性能との関係を示す。図１０には、入力領域９０２と、再帰反射部材９０３と、センサユニットの投光部９０５と、センサユニットの受光部９０６と、入力領域に対して入力を行うペン又は指などの指示具９０７とが示されている。図１０（Ａ）〜（Ｃ）を通じて、指示具９０７と入力領域９０２との距離は一定である。指示具９０７が、投光部９０５から受光部９０６へ向かう光を遮光したときに、入力が検出される。
【００２６】
図１０（Ｃ）は、本実施例に係るセンサユニット１Ａ〜１Ｄの構造の一例を示す。本実施例においては、図１０（Ｃ）で示されるように、投光部９０５と受光部９０６との間に再帰反射部材９０３が配置される。この場合、右側の投光部９０５ａから受光部９０６ａに向かう光が指示具９０７によって遮られる。また、左側の投光部９０５ｂから受光部９０６ｂに向かう光も指示具９０７によって遮られる。つまり、本実施例においては、受光部９０６ａと受光部９０６ｂとの双方が指示具９０７の存在を検出することができるために、指示具９０７による入力位置を検出できる。
【００２７】
一方で、図１０（Ａ）のように再帰反射部材９０３の上部に投光部９０５及び受光部９０６が配置された場合、位置検出能力が低下する。すなわち図１０（Ａ）においては、左側の投光部９０５−２から受光部９０６−２へと向かう光は指示具９０７によって遮光されるが、右側の投光部９０５−１から受光部９０６−１へと向かう光は遮光されない。つまり図１０（Ａ）の構成においては、左側のセンサユニットは指示具９０７による入力位置を検出できるが、右側のセンサユニットは指示具９０７による入力位置を検出できない。すなわち、図１０（Ａ）の構成においては、指示具９０７が一方のセンサユニットに近接している場合、他方のセンサユニットの位置検出能力が低下する。
【００２８】
また、図１０（Ｂ）のように入力領域９０２と再帰反射部材９０３との間に投光部９０５及び受光部９０６を配置する場合にも、位置検出能力が低下する。すなわち図１０（Ｂ）においては、右側の投光部９０５−１から受光部９０６−１へと向かう光は指示具９０７によって遮光されるが、左側の投光部９０５−２から受光部９０６−２へと向かう光は遮光されない。つまり図１０（Ｂ）の構成においては、左側のセンサユニットは指示具９０７による入力位置を検出できるが、右側のセンサユニットは指示具９０７による入力位置を検出できない。すなわち、図１０（Ｂ）の構成においても、指示具９０７が一方のセンサユニットに近接している場合、他方のセンサユニットの位置検出能力が低下する。以上のように、図１０（Ａ）及び（Ｂ）に示した構成においては、指示具９０７が入力領域９０２から離れている場合に、位置を検出する能力が低下してしまう。
【００２９】
以上のように本実施例においては、再帰反射部材５が存在する位置に、投光部及び受光部を備えるセンサユニットを配置するにもかかわらず、センサユニット近傍での位置検出能力が低下しない。本実施例では入力領域４Ａに近い側から受光部、再帰反射部材５、投光部を順番に配置した。しかしながら、投光部と受光部との配置を逆にすることもできる。本実施例においては再帰反射部材３Ａ，３Ｂと再帰反射部材５Ａ〜５Ｄとが分割されて配置されたが、再帰反射部材は分割されていなくてもよい。センサユニットは、対向する二辺に沿って配置された再帰反射部材のそれぞれについて、少なくとも２カ所に配置されていればよい。
【００３０】
［実施例２］
実施例１において、センサユニット１は、投光部と、受光部と、再帰反射部材５とによって構成され、再帰反射部材は投光部と受光部との間に配置された。本実施例のセンサユニット１は、さらなる再帰反射部材８又は９を備える。本実施例のセンサユニット１の一例が、図４及び図５に示される。図４及び図５において、実施例１と同様の構成部品は、実施例１と同じ参照番号で示されている。
【００３１】
図４に示すセンサユニット１には、実施例１のセンサユニット１と比べて、再帰反射部材５と同様の再帰反射部材８が追加されている。図４において、投光部１０１〜１０２から出る光の光路は再帰反射部材５と再帰反射部材８とで挟まれている。また、図５に示すセンサユニット１には、実施例１のセンサユニット１と比べて、再帰反射部材５と同様の再帰反射部材９が追加されている。図５において、受光部１０３〜１０６に入る光の光路は再帰反射部材５と再帰反射部材８とで挟まれている。
【００３２】
本実施例のように、さらなる再帰反射部材８又は９を備えることにより、再帰反射面の面積を増やすことができる。したがって本実施例においては、投光部と受光部との間に位置する再帰反射部材５の幅を実施例１と比べて半分にしても、再帰反射面と同じ幅を持つ再帰反射部材８又は９を用いることにより、全体の反射面の面積を実施例１と同程度とすることができる。
【００３３】
例えば図４において、再帰反射部材８は幅ｈ／２を有し、上フード部材１０７のリブ部材１０７１、１７０２に取り付けられている。また再帰反射部材８は、投光部よりも入力領域４Ａから遠い位置に位置するように、前記センサユニットに一体的に搭載されている。再帰反射部材５も同様に幅ｈ／２を有する。この構成により、再帰反射部材５が幅ｈを有する実施例１の構成と、同程度の反射面積を有することができる。一方で図４の構成においては、再帰反射部材５の幅が小さくなるために、投光部と受光部との間の距離Ｌを短くすることができる。したがって、投光部から発せられ、再帰反射部材で反射された光を、受光部が検出することが、実施例１よりも容易となる。
【００３４】
図５においては、再帰反射部材９は下フード部材１０８に取り付けられている。また再帰反射部材９は、投光部よりも入力領域４Ａに近い位置に位置するように、前記センサユニットに一体的に搭載されている。この構成においても同様に、再帰反射部材５及び再帰反射部材８の幅はｈ／２でもよく、光の検出も実施例１より容易となる。本実施例では、再帰反射部材５と、再帰反射部材８又は９の幅の比を、０．５：０．５として説明した。しかしながら、この比率は適宜変更することができる。
【００３５】
［実施例３］
実施例１では、４つのセンサユニットを用いる座標入力装置を説明した。本実施例では、より多くのセンサユニットを用いることにより、実施例１と比べて広い入力領域を有する座標入力装置について説明する。図６は、本実施例に係る構成の一例を示す図である。図６において、実施例１と同様の構成部品は、実施例１と同じ参照番号で示されている。
【００３６】
１Ａ〜１Ｄおよび１Ｅ〜１Ｈは投光部および受光部を有するセンサユニットである。それぞれのセンサユニット１Ａ〜１Ｈは、実施例１と同様の動作を行う制御ユニット２Ａ〜２Ｄに接続されている。本実施例の座標入力装置は、隣接する入力領域４Ａ及び４Ｂを備える。本実施例の座標入力装置は、４つのセンサユニット１Ａ〜１Ｄを用いて入力領域４Ａへの入力を検知し、４つのセンサユニット１Ｅ〜１Ｈを用いて入力領域４Ｂへの入力を検知する。図６において、センサユニット１Ａ〜１Ｈは、入力領域４Ａ，４Ｂの外側に配置されている。
【００３７】
３０１Ａ〜３０６Ａ、３０１Ｂ〜３０２Ｂ、および５Ａ〜５Ｄは、実施例１と同様の再帰反射部材である。以降では、再帰反射部材５Ａ〜５Ｄを第１の再帰反射部材と呼ぶ。また、再帰反射部材３０１Ａ〜３０６Ａ及び３０１Ｂ〜３０２Ｂを第２の再帰反射部材と呼ぶ。本実施例において、第１の再帰反射部材はセンサユニット１Ａ〜１Ｄに搭載されている。また、第２の再帰反射部材は座標入力装置の筐体（不図示）に取り付けられている。
【００３８】
本実施例において、第１及び第２の再帰反射部材は、入力領域４Ａ，４Ｂの対向する二辺に配置されている。すなわち、第１の再帰反射部材５Ａ，５Ｄ，５Ｅ，５Ｈ及び第２の再帰反射部材３０１Ａ〜３０６Ａが一辺に位置し、第１の再帰反射部材５Ｂ，５Ｃ，５Ｆ，５Ｇ及び第２の再帰反射部材３０１Ｂ〜３０６Ｂが他方の辺に位置する。
【００３９】
一辺に位置する第１及び第２の再帰反射部材は、他方の辺に位置するセンサユニットから見て、隙間が存在しないように配置されていることが好ましい。例えば、一辺に位置するセンサユニットが、他辺に向けて光を照射する場合に、常に再帰反射部材からの反射光が帰ってくることが好ましい。このために本実施例において、再帰反射部材５Ｃ及び５Ｄは、再帰反射部材５Ｅ及び５Ｆよりも長くなっている。しかしながら、再帰反射部材５Ｅ及び５Ｆの長さが、再帰反射部材５Ｃ及び５Ｄの長さよりも長くてもよい。
【００４０】
本実施例において、センサユニット１Ａ及び１Ｄは、第１の再帰反射部材５Ｂ、５Ｃ、及び５Ｆ、並びに第２の再帰反射部材３０１Ｂ〜３０４Ｂに対して光を投光し、反射された光を受光する。センサユニット１Ｂ及び１Ｃは、第１の再帰反射部材５Ａ、５Ｄ、及び５Ｅ、並びに第２の再帰反射部材３０１Ａ〜３０４Ａに対して光を投光し、反射された光を受光する。
【００４１】
同様にセンサユニット１Ｅ及び１Ｈは、第１の再帰反射部材５Ｃ、５Ｆ、及び５Ｇ、並びに第２の再帰反射部材３０３Ｂ〜３０６Ｂに対して光を投光し、反射された光を受光する。またセンサユニット１Ｆ及び１Ｇは、第１の再帰反射部材５Ｄ、５Ｅ、及び５Ｈ、並びに第２の再帰反射部材３０３Ａ〜３０６Ａに対して光を投光し、反射された光を受光する。
【００４２】
本実施例を応用することにより、さらに広い入力領域を備える座標入力装置を構成することもできる。例えば、センサユニット１Ｃ〜１Ｆ、第１の再帰反射部材５Ｃ〜５Ｆ、並びに第２の再帰反射部材３０２Ａ〜３０４Ａ及び３０２Ｂ〜３０４Ｂを含む構造を繰り返し配置すればよい。以上の本実施例に係る構成によれば、実施例１のような４つのセンサユニットを備える座標入力装置よりも広い入力領域を備える、大型の座標入力装置を実現することができる。
【００４３】
［実施例４］
本実施例では、実施例３において隣接するセンサユニット間（第１の再帰反射部材間）に、さらなる第２の反射部材を追加する。図１２は、本実施例に係る構成の一例を示す図である。図１２において、実施例３と同様の構成部品は、実施例３と同じ参照番号で示されている。図１２の座標入力装置は、座標入力装置の筐体（不図示）に取り付けられた第２の再帰反射部材６Ａ及び６Ｂを備える。第２の再帰反射部材６Ａは、第１の再帰反射部材５Ｄと第１の再帰反射部材５Ｅとの間に配置されている。また第２の再帰反射部材６Ｂは、第１の再帰反射部材５Ｄと第１の再帰反射部材５Ｅとの間に配置されている。
【００４４】
本実施例においても、対向する辺に位置するセンサユニット１Ｂ，１Ｃ，１Ｆ，１Ｇから見て、第１の再帰反射部材５Ｄと、第１の再帰反射部材５Ｅと、第２の再帰反射部材６Ａとは、隙間を生じないように重なっている。同様に、対向する辺に位置するセンサユニット１Ａ，１Ｄ，１Ｅ，１Ｈから見て、第１の再帰反射部材５Ｃと、第１の再帰反射部材５Ｆと、第２の再帰反射部材６Ｂとは、隙間を生じないように重なり合っている。本実施例によれば、センサユニット間に配置された第２の再帰反射部材６Ａ及び６Ｂを用いることにより、センサユニットに搭載された第１の再帰反射部材の長さを、実施例３よりも短くすることができる。
【００４５】
［実施例５］
実施例１では、センサユニット１を座標入力装置に固定したが、本実施例では、センサユニット１の姿勢を調整可能とする。センサユニット１を座標入力装置に取り付ける際に取り付け誤差が生じた場合、受光部に入る光量が少なくなる。取り付け誤差を小さくするためには部品公差を厳しくする必要があり、これは高いコストにつながり、量産を難しくする。センサユニットの姿勢を調整可能とすることにより、受光部に入る光量が多くなるように調整を行うことができる。
【００４６】
図７は、本実施例に係る姿勢調整ユニット１０００の一例を示す。実施例１と同様の構成部品は、同じ参照番号で示されている。姿勢調整ユニット１０００は、座標入力装置の筐体（不図示）に取り付けられている。実施例１でも述べたように、第１の再帰反射部材５は、センサユニットの上フード部材１０７に取り付けられている。
【００４７】
取り付け部材１００１は、コの字状の板金である。姿勢調整ネジ１００２，１００３，１００４は、取り付け部材１００１の貫通穴（不図示）を通して、座標入力装置の筐体のネジ穴（不図示）に螺合される。圧縮バネ１００５，１００６，１００７は、取り付け部材１００１と座標入力装置の筐体（不図示）とに挟まれている。
【００４８】
姿勢調整ネジ１００２，１００３，１００４を調整することにより、圧縮バネ１００５，１００６，１００７を介した、取り付け部材１００１と座標入力装置の筐体（不図示）との間の距離を調整することができる。したがって、取り付け部材１００１を介して、座標入力装置の筐体（不図示）に対する、センサユニット１の姿勢を調整することができる。
【００４９】
図８（Ａ）〜（Ｃ）は本実施例に係るセンサユニットの断面図である。また図８（Ｄ）〜（Ｆ）は、再帰反射部材５を座標入力装置の筐体（不図示）に固定した場合の、センサユニットの断面図である。図８（Ａ）及び（Ｄ）はセンサユニットの姿勢を調整していない場合を示す。一方、図８（Ｂ）及び（Ｅ）は、矢印の方向にセンサユニットの姿勢を調整した場合を示す。本実施例においては、センサユニット１に再帰反射部材５を搭載しているため、第１の再帰反射部材５はセンサユニットと一体的に動く。従って図８（Ｂ）に示されるように、センサユニットの姿勢を調整した後でも、再帰反射部材５は投光部からの光を遮らない。一方で図８（Ｅ）の構成では、センサユニットの姿勢を調整すると、投光部からの光は再帰反射部材５によって遮られる。
【００５０】
図８（Ｃ）及び（Ｅ）も同様に、矢印の方向にセンサユニットの姿勢を調整した場合を示す。この場合にも、図８（Ｃ）に示される本実施例の構成によれば、受光部に入る光は再帰反射部材５によって遮られない。一方で図８（Ｆ）の構成では、センサユニットの姿勢を調整すると、受光部への光は再帰反射部材５によって遮られる。以上のように、再帰反射部材５を投光部及び受光部と一体的に構成することによって、センサユニットの位置を調整しても、再帰反射部材５は光を遮らない。
【００５１】
［実施例６］
以上の各実施例の座標入力装置において、第１の再帰反射部材５の幅を大きくすると、投光部と受光部との間隔が大きくなる。したがって投光部からの光線と受光部への光線とのなす角度が大きくなるため、受光光量が減少する。一方で、第１の再帰反射部材５の幅を小さくすると、第１の再帰反射部材５によって反射される光の光量は少なくなる。したがって、最適な第１の再帰反射部材５の幅が存在する。しかしながら、最適な再帰反射部材５の幅は、通常は第２の再帰反射部材３Ａよりも細くなる。
【００５２】
したがって、第１の再帰反射部材によって反射される光の光量は、第２の再帰反射部材３Ａによって反射される光の光量よりも小さくなる。第１の再帰反射部材５によって反射される光の光量を増やすために、本実施例においては、第１の再帰反射部材５として高反射率の再帰反射部材を使用する。これによって、第１の再帰反射部材５によって反射される光の光量を増やすことができる。
【００５３】
［実施例７］
実施例１のセンサユニット１は、入力領域４Ａに近い側から受光部、再帰反射部材５、投光部が順番に位置するように構成されていた。本実施例のセンサユニット１は、さらなる投光部を備える。本実施例に係るセンサユニットの一例を、図１３に示す。実施例１と同様の構成部品は、同じ参照番号で示されている。
【００５４】
図１３のセンサユニット１は、入力領域４Ａに近い側から、赤外ＬＥＤ１０１Ａと投光レンズ１０２Ａとを備える投光部、受光部、再帰反射部材５、赤外ＬＥＤ１０１Ｂと投光レンズ１０２Ｂとを備える投光部、を順番に備える。本実施例のセンサユニット１は２つの投光部を有するために、実施例１と比べて投光量を２倍にすることができる。この結果、実施例１と比べて受光光量を増やすことができる。
【００５５】
［実施例８］
図１４は、本実施例に係る座標入力装置の構成の一例を示す図である。本実施例に係る座標入力装置は、実施例１と比較して、図２に示される再帰反射部材３Ａ、３Ｂの配置が変更されている。本実施例に係る座標入力装置は、複数台を結合することが可能である。複数台の座標入力装置を結合することにより、より広い入力領域を実現することができる。一例として図１５には、本実施例に係る座標入力装置を２台結合させた様子が表されている。図１４において、実施例１と同様の構成部品は、実施例１と同じ参照番号で示されている。
【００５６】
図１４の座標入力装置は、座標入力装置の筐体（不図示）に取り付けられた再帰反射部材３Ｋ及び３Ｌを、センサユニット１Ａ及び１Ｄと、センサユニット１Ｂ及び１Ｃと、のそれぞれの外側に備える。図１５に示すように、本実施例の座標入力装置を２つ並べたときに、一方の座標入力装置の再帰反射部材３Ｋは、他方の座標入力装置の再帰反射部材５Ａ又は５Ｄの裏側にまで達する。ここで裏側とは、入力領域から離れた側を指す。また、本実施例の座標入力装置を２つ並べたときに、一方の座標入力装置の再帰反射部材３Ｌは、他方の座標入力装置の再帰反射部材５Ｂ又は５Ｃの裏側にまで達する。
【００５７】
本実施例において、対向する辺に位置するセンサユニット１Ｂ，１Ｃから見て、再帰反射部材５Ａと、再帰反射部材５Ｄと、再帰反射部材３Ｋとは、隙間を生じないように重なっている。同様に、対向する辺に位置するセンサユニット１Ａ，１Ｄから見て、再帰反射部材５Ｂと、第１の再帰反射部材５Ｃと、再帰反射部材３Ｌとは、隙間を生じないように重なり合っている。この結果、本実施例の座標入力装置を２つ並べることによって、入力領域に隙間が生じないマルチ座標入力装置を構成することができる。
【００５８】
実施例１〜７に係る座標入力装置は、入力領域を含む矩形領域の対向する二辺に再帰反射部材を持てばよい。したがって、再帰反射部材が隙間なく連続するように座標入力装置を連結することにより、実施例８に示したように大きな入力領域を実現することができる。
【符号の説明】
【００５９】
１Ａ〜１Ｄ  センサユニット
３Ａ，３Ｂ，３Ｋ，３Ｌ，５Ａ〜５Ｄ  再帰反射部材
４Ａ  入力領域
１０１  赤外ＬＥＤ
１０２  投光レンズ
１０３  ラインＣＣＤ
１０４  受光用レンズ
１０５  絞り
１０６  赤外フィルター
１０７  上フード部材
１０８  下フード部材
【図１】
0005451538.tif 000002
【図２】
0005451538.tif 000003
【図３】
0005451538.tif 000004
【図４】
0005451538.tif 000005
【図５】
0005451538.tif 000006
【図６】
0005451538.tif 000007
【図７】
0005451538.tif 000008
【図８】
0005451538.tif 000009
【図９】
0005451538.tif 000010
【図１０】
0005451538.tif 000011
【図１１】
0005451538.tif 000012
【図１２】
0005451538.tif 000013
【図１３】
0005451538.tif 000014
【図１４】
0005451538.tif 000015
【図１５】
0005451538.tif 000016